(57)【特許請求の範囲】
【請求項１】
携帯端末における電子書籍サービス提供方法において、
原本コンテンツを表示する過程と、
前記原本コンテンツ上にユーザ入力に対応する加工データをオーバレイして示す過程と、
ユーザ選択によって前記加工データを前記原本コンテンツにマッピングする過程と、
前記加工データを独立的に格納する過程と、
前記加工データを構成する客体のうちユーザ選択に対応するカテゴリーの客体を抽出し、抽出した少なくとも１つの客体のグループで構成された加工データを他の携帯端末に伝送する過程と、を含み、
前記加工データは、
前記加工データに対応する加工情報と前記原本コンテンツ追跡のためのメタ情報を含む  ことを特徴とする携帯端末における電子書籍サービス提供方法。
【請求項２】
前記示す過程は、
エディタモード要請に応答してオーバレイウィンドウを構成する過程と、
前記オーバレイウィンドウを基盤にして前記加工データを入力される過程と、を含む
ことを特徴とする請求項１に記載の携帯端末における電子書籍サービス提供方法。
【請求項３】
前記格納する過程は、
前記原本コンテンツ上にオーバレイされた加工データを抽出する過程と、
抽出した少なくとも１つの加工データに対応する加工情報を生成する過程と、
前記原本コンテンツに対するメタ情報と前記加工情報を含んで格納する過程と、を含む
ことを特徴とする請求項２に記載の携帯端末における電子書籍サービス提供方法。
【請求項４】
前記生成する過程は、
前記加工データが有する形式、前記加工データが原本コンテンツとマッチングされる位置、フォント形態を解析（parsed）し、解析（parsed）した情報を基盤にして前記加工情報を生成する過程を含む
ことを特徴とする請求項３に記載の携帯端末における電子書籍サービス提供方法。
【請求項５】
前記電子書籍サービス提供方法は、
前記加工データを構成する客体のうちユーザ選択に対応する少なくとも１つの客体のグループで構成された加工データを他の携帯端末に伝送する過程をさらに含む
ことを特徴とする請求項２に記載の携帯端末における電子書籍サービス提供方法。
【請求項６】
前記原本コンテンツに対応する加工データをローディングし、前記原本コンテンツ上にオーバレイして示す過程と、
ユーザ入力によって前記加工データに追加の加工データを入力される過程と、
前記追加の加工データが追加された加工データを前記原本コンテンツにマッピングする過程と、
前記加工データを独立的に格納する過程と、を含む
ことを特徴とする請求項１に記載の携帯端末における電子書籍サービス提供方法。
【請求項７】
前記示す過程は、
前記原本コンテンツ表示後、加工データローディング要請を感知する過程と、
前記原本コンテンツのメタ情報と以前に格納された加工データのメタ情報とを比較する過程と、
前記原本コンテンツのメタ情報と一致するメタ情報を有する加工データをローディングする過程と、を含む
ことを特徴とする請求項６に記載の携帯端末における電子書籍サービス提供方法。
【請求項８】
前記ローディングする過程は、
前記加工データの加工情報をチェックする過程と、
前記原本コンテンツで前記加工情報に対応する位置を追跡する過程と、
前記追跡した位置に前記加工情報に対応する加工データをオーバレイウィンドウを基盤にして出力する過程と、を含む
ことを特徴とする請求項７に記載の携帯端末における電子書籍サービス提供方法。
【請求項９】
電子書籍サービスを支援する携帯端末において、
前記電子書籍サービスによる原本コンテンツを表示し、前記原本コンテンツ上にユーザ入力または選択に対応する加工データをオーバレイして表示する表示部と、
電子書籍サービスのための原本コンテンツ、前記原本コンテンツに対応するように生成された加工データ、外部から受信された加工データを格納する格納部と、
前記原本コンテンツ表示中、エディタモード要請を感知する時、オーバレイウィンドウを構成し、前記原本コンテンツ上に前記加工データのオーバレイ表示を制御し、加工データ格納時に、前記原本コンテンツに対する独立客体への格納を制御し、前記加工データを構成する客体のうちユーザ選択に対応するカテゴリーによって抽出した少なくとも１つの客体のグループで構成された加工データの伝送を制御する制御部と、を含み、
前記加工データは、
前記加工データに対応する加工情報と前記原本コンテンツ追跡のためのメタ情報を含む
ことを特徴とする電子書籍サービスを支援する携帯端末。
【請求項１０】
前記格納部は、
前記原本コンテンツを格納するコンテンツ格納部と、
ユーザ入力に対応するように生成された加工データまたは外部から受信された加工データを格納する加工データ格納部とを含む
ことを特徴とする請求項９に記載の電子書籍サービスを支援する携帯端末。
【請求項１１】
前記制御部は、
前記加工データが有する形式、前記加工データが原本コンテンツとマッチングされる位置、フォント形態を解析（parsed）し、解析（parsed）した情報を基盤にして前記加工情報を生成する
ことを特徴とする請求項１０に記載の電子書籍サービスを支援する携帯端末。
【請求項１２】
前記制御部は、
前記原本コンテンツ表示後、加工データローディング時に、前記原本コンテンツのメタ情報と前記加工データ格納部に格納された加工データのメタ情報とを比較し、前記原本コンテンツのメタ情報と一致するメタ情報を有する加工データローディングを制御する
ことを特徴とする請求項１０に記載の電子書籍サービスを支援する携帯端末。
【請求項１３】
前記制御部は、
前記加工データの加工情報をチェックし、前記原本コンテンツで前記加工情報に対応する位置を追跡し、追跡した当該位置に前記加工情報に対応する加工データを前記オーバレイウィンドウを基盤にして出力を制御する
ことを特徴とする請求項１２に記載の電子書籍サービスを支援する携帯端末。
【請求項１４】
前記制御部は、
前記加工データ、前記加工データを構成する客体のうちユーザ選択に対応する少なくとも１つの客体のグループで構成された加工データの伝送を制御する
ことを特徴とする請求項１２に記載の電子書籍サービスを支援する携帯端末。
【発明の詳細な説明】
【技術分野】
【０００１】
本発明は、携帯端末における電子書籍サービス提供方法及び装置に関し、特に本発明は、電子書籍サービスによる原本コンテンツを変更することなく、ユーザ加工による加工データを独立的に生成し、他の携帯端末と共有することができる方法及びこれを支援する携帯端末に関する。
【背景技術】
【０００２】
最近、情報通信技術と半導体技術などの眩しい発展に伴い、各種携帯端末の普及と利用が急速に増加している。特に、最近の携帯端末は、各自の伝統的な固有領域にとどまらず、他の端末の領域までまとめるモバイルカール融合／複合（ｍｏｂｉｌｅ  ｃｏｎｖｅｒｇｅｎｃｅ）段階に至っている。代表的に、移動通信端末の場合には、音声通話やメッセージ送受信のような一般的な通信機能以外にも、テレビ（Ｔｅｌｅｖｉｓｉｏｎ）視聴機能（例えば、ＤＭＢ（Ｄｉｇｉｔａｌ  Ｍｕｌｔｉｍｅｄｉａ  Ｂｒｏａｄｃａｓｔｉｎｇ）やＤＶＢ（Ｄｉｇｉｔａｌ  Ｖｉｄｅｏ  Ｂｒｏａｄｃａｓｔｉｎｇ）のような移動放送）、音楽再生機能（例えば、ＭＰ３（ＭＰＥＧ  Ａｕｄｉｏ  Ｌａｙｅｒ−３））、写真撮影機能、インターネット接続機能、辞書検索機能など各種マルチメディア機能が付加されている実情である。
【０００３】
特に、最近、市販される携帯端末は、電子書籍（ｅ−ｂｏｏｋ）機能を支援し、電子書籍コンテンツを購入して利用するユーザが次第に増加している。一般的に、電子書籍というのは、文字や画像のような情報を電子媒体に記録し、書籍のように利用することができるデジタル図書の総称を示す。すなわち、電子書籍は、図書として刊行されたか、または刊行されることができる著作物の内容がデジタルデータを利用して電子媒体に収録された後、有無線通信を介してコンピュータや携帯端末でその内容を見たり聞いたりすることができる電子媒体を示す。
【０００４】
さらに、タブレットパソコン（Ｐｅｒｓｏｎａｌ  Ｃｏｍｐｕｔｅｒ）のように、表示部のサイズが従来より大きい方式の携帯端末が開発及び普及されることによって、電子書籍機能と関連した技術開発がさらに活発に行われている。通常、電子書籍機能は、単純に書籍の内容を表示する機能を超えて、ユーザの便宜性と面白さ要素を向上させることができる方向に開発されている。
【発明の概要】
【発明が解決しようとする課題】
【０００５】
本発明の目的は、電子書籍サービスを支援する携帯端末及びその電子書籍サービス運用方法を提供することにある。
本発明の他の目的は、電子書籍サービス提供時に、原本コンテンツを変形することなく、ユーザ入力による多様な加工データを入力することができる方法及びこれを支援する携帯端末を提供することにある。
本発明のさらに他の目的は、電子書籍サービスによる原本コンテンツと前記原本コンテンツからユーザ入力によって生成された加工データの結合による加工コンテンツを生成することができる方法及びこれを支援する携帯端末を提供することにある。
本発明のさらに他の目的は、生成された加工コンテンツから加工データだけを別に格納し、格納された加工データを他の携帯端末と共有することができる方法及びこれを支援する携帯端末を提供することにある。
本発明のさらに他の目的は、電子書籍サービスのための新しい環境を具現し、携帯端末で電子書籍サービスのための多様性、使用性、利用性及び便宜性を向上させることができる方法及び装置を提供することにある。
【課題を解決するための手段】
【０００６】
上記目的を達成するために、本発明の実施例による方法は、携帯端末における電子書籍サービス提供方法において、原本コンテンツを表示する過程と、前記原本コンテンツ上にユーザ入力に対応する加工データをオーバレイして示す過程と、ユーザ選択によって前記加工データを前記原本コンテンツにマッピングして独立的に格納する過程とを含む。
また、本発明の実施例による方法は、携帯端末における電子書籍サービス提供方法において、原本コンテンツを表示する過程と、前記原本コンテンツに対応する加工データをローディングし、前記原本コンテンツ上にオーバレイして示す過程と、ユーザ入力によって前記加工データに追加の加工データを入力される過程と、前記追加の加工データが追加された加工データを前記原本コンテンツにマッピングして独立的に格納する過程とを含む。
本発明の実施例では、前記方法をプロセッサで実行させるためのプログラムを記録したコンピュータで読み取り可能な記録媒体を含む。
【０００７】
本発明の実施例による装置は、電子書籍サービスを支援する携帯端末において、前記電子書籍サービスによる原本コンテンツを表示し、前記原本コンテンツ上にユーザ入力または選択に対応する加工データをオーバレイして表示する表示部と、電子書籍サービスのための原本コンテンツ、前記原本コンテンツに対応するように生成された加工データ、外部から受信された加工データを格納する格納部と、前記原本コンテンツ表示中、エディタモード要請を感知する時、オーバレイウィンドウを構成し、前記原本コンテンツ上に前記加工データのオーバレイ表示を制御し、加工データ格納時に、前記原本コンテンツに対する独立客体への格納を制御する制御部とを含む。
【０００８】
前述したような内容は、当該分野における通常の知識を有する者が後述する本発明の具体的な説明からさらに容易に理解することができるようにするために、本発明の特徴及び技術的な長所をさらに広く略述したものである。このような特徴及び長所以外にも、本発明の請求範囲の主題を形成する本発明の追加的な特徴及び長所が後述する本発明の具体的な説明から容易に理解されることができる。
【発明の効果】
【０００９】
以上説明したように、本発明で提案する携帯端末における電子書籍サービス提供方法及び装置によれば、携帯端末で支援する電子書籍サービスに追加的に新しい機能具現を通じて携帯端末にやいて電子書籍サービスの質を向上させることができる。本発明の実施例によれば、電子書籍サービスによる原本電子書籍コンテンツ（原本コンテンツ）にユーザが創意的に生成した加工データを独立的に運用することができる。これにより、原本コンテンツによる著作権などを違反せず、ユーザが生成した個人電子書籍コンテンツ（加工データ）を時間と空間に拘らずに生成することができる。また、本発明によれば、ユーザが生成した個人電子書籍コンテンツを有無線通信を通じて他の携帯端末ユーザと一緒に共有することができる。また、本発明によれば、以前生成された個人電子書籍コンテンツに新しい加工データの追加が可能となることによって、１つの原本電子書籍コンテンツ基盤にして多様な個人電子書籍コンテンツ生成が可能である。
【００１０】
また、本発明によれば、電子書籍コンテンツが学習教材の場合、教材の上にユーザ別重要表示、問題解釈などのメモと、解決動画、イメージ、音源などのメディアなどのような加工データの入力が可能である。したがって、学習教材による原本電子書籍コンテンツを保有するすべてのユーザ間に個別または統合された加工データの共有を通じて学習効率を増進させることができるという効果がある。
このような本発明は、電子書籍機能を支援するすべての形態のデバイスで具現されることができる。また、本発明によれば、携帯端末において原本電子書籍コンテンツを変形することなく、原本電子書籍コンテンツ基盤の個人電子書籍コンテンツの生成が可能な最適の環境を具現することによって、携帯端末の使用性、便宜性、利用性、接近性及び競争力を向上させるのに寄与することができる。
【図面の簡単な説明】
【００１１】
【図１】本発明の実施例による携帯端末の構成を概略的に示す図である。
【図２】本発明の実施例による携帯端末において電子書籍サービスを支援する動作説明のために示す図である。
【図３】本発明の実施例による携帯端末において電子書籍サービスを支援する動作説明のために示す図である。
【図４】本発明の実施例による携帯端末において電子書籍サービスを支援する動作説明のために示す図である。
【図５】本発明の実施例による携帯端末において加工データを原本コンテンツに適用する動作説明のために示す図である。
【図６】本発明の実施例による携帯端末において加工データを生成する方法を示す流れ図である。
【図７】本発明の実施例による携帯端末において原本コンテンツに対応して加工データを提供する方法を示す流れ図である。
【図８】本発明の実施例による携帯端末においてユーザ定義による加工データを他の携帯端末と共有する動作を説明するために示す図である。
【図９】本発明の実施例による携帯端末においてユーザ定義による加工データを他の携帯端末と共有する動作を説明するために示す図である。
【発明を実施するための形態】
【００１２】
以下、添付の図面を参照して本発明の好ましい実施例を詳しく説明する。この際、添付の図面において同一の構成要素は、できるだけ同一の符号で示していることに留意しなければならない。また、本発明の要旨を不明瞭にすることができる公知機能及び構成に対する詳細な説明は省略する。すなわち、下記の説明では、本発明の実施例による動作を理解するのに必要な部分だけが説明され、その他の部分の説明は、本発明の要旨を不明瞭にしないように省略されることに留意しなければならない。
提案する本発明は、電子書籍サービス時に、原本電子書籍コンテンツを変更することなく、前記原本電子書籍コンテンツ基盤の独立的な個人電子書籍コンテンツを生成することができる方法及びこれを支援する携帯端末に関する。また、本発明の実施例によれば、ユーザ別個人電子書籍コンテンツを共有して統合電子書籍コンテンツを生成することもできる。
【００１３】
本発明において前記原本電子書籍コンテンツは、原本コンテンツと命名され、図書として刊行されたか、または刊行されることができるデジタル図書の総称を示す。また、前記個人電子書籍コンテンツ及び統合電子書籍コンテンツは、加工データと命名され、特に前記個人電子書籍コンテンツは、ユーザ入力によって前記原本コンテンツと別途の独立客体に生成される加工データを示し、前記統合電子書籍コンテンツは、前記個人電子書籍コンテンツが多くのユーザによって加工された加工データを示す。例えば、前記統合電子書籍コンテンツは、第２ユーザが第１ユーザの第１加工データに新しい加工データを追加するか、前記第１加工データを修正するか、または前記第１加工データを削除するなどの行為によって生成された加工データを示すことができる。また、本発明において加工コンテンツは、原本コンテンツ上にユーザ設定による前記加工データがオーバレイ形態で結合されて提供されるコンテンツを示すことができる。
以下では、本発明の実施例による携帯端末の構成及びその動作制御方法について下記図面を参照して説明する。しかし、本発明の実施例による携帯端末の構成及びその制御方法が下記で記述する内容に限定されるものではないので、下記の実施例に基づいて多様な実施例に適用することができることに留意しなければならない。
【００１４】
図１は、本発明の実施例による携帯端末の構成を概略的に示す図である。
図１を参照すれば、前記携帯端末は、通信モジュール１１０、表示部１２０、格納部１３０、及び制御部１６０を備えて構成される。その他、マイク（ｍｉｃｒｏｐｈｏｎｅ）とスピーカー（ｓｐｅａｋｅｒ）を具備するオーディオ処理部、デジタル放送（例えば、ＤＭＢ（Ｄｉｇｉｔａｌ  Ｍｕｌｔｉｍｅｄｉａ  Ｂｒｏａｄｃａｓｔｉｎｇ）やＤＶＢ（Ｄｉｇｉｔａｌ  Ｖｉｄｅｏ  Ｂｒｏａｄｃａｓｔｉｎｇ）のような移動放送）の受信と再生を行うためのデジタル放送モジュール、写真／動画撮影機能のためのカメラモジュール、ブルートゥース（ＢＬＵＥＴＯＯＴＨ）通信機能を行うためのブルートゥース通信モジュール、インターネット通信機能を行うためのインターネット通信モジュール、タッチ基盤の入力のためのタッチパッド、物理的なキー入力を支援する入力部、そして前記のような構成に電源供給のためのバッテリー（ｂａｔｔｅｒｙ）などの構成をさらに含むことができるが、これらに対する説明と図示は省略する。
【００１５】
前記通信モジュール１１０は、移動通信基盤の移動通信サービス及び無線ラン（ＷＬＡＮ、Ｗｉｒｅｌｅｓｓ  Ｌｏｃａｌ  Ａｒｅａ  Ｎｅｔｗｏｒｋ）基盤のインターネットサービス（例えば、Ｗｉ−Ｆｉサービス）のようなサービスを支援するためのモジュールを示す。前記通信モジュール１１０は、所定のネットワークと設定された通信チャンネルを形成し、形成された通信チャンネルを通じてデータ送受信を処理することができる。特に、前記通信モジュール１１０は、移動通信サービスまたはインターネットサービスを利用した加工データの送受信を処理することができる。
【００１６】
前記表示部１２０は、携帯端末のホームスクリーン（ｈｏｍｅ  ｓｃｒｅｅｎ）をはじめとして、携帯端末で支援するアプリケーションの実行画面を提供する。例えば、メッセージ機能、電子メール機能、インターネット機能、マルチメディア機能、検索機能、通信機能、電子書籍（例えば、ｅ−ｂｏｏｋ）機能、写真／動画撮影機能、写真／動画再生機能、テレビ（Ｔｅｌｅｖｉｓｉｏｎ）再生機能（例えば、ＤＭＢやＤＶＢのような移動放送再生機能）、音楽再生機能（例えば、ＭＰ３再生機能）、ウィゼット機能、メモ機能、ゲーム機能などの実行画面を提供する。前記表示部１２０は、液晶表示装置（ＬＣＤ、Ｌｉｑｕｉｄ  Ｃｒｙｓｔａｌ  Ｄｉｓｐｌａｙ）が使用されることが一般的であるが、発光ダイオード（ＬＥＤ、Ｌｉｇｈｔ  Ｅｍｉｔｔｉｎｇ  Ｄｉｏｄｅ）、有機発光ダイオード（ＯＬＥＤ、Ｏｒｇａｎｉｃ  ＬＥＤ）、能動型ＯＬＥＤ（ＡＭＯＬＥＤ、Ａｃｔｉｖｅ  Ｍａｔｒｉｘ  ＯＬＥＤ）などのような他の表示装置が使用されることもできる。また、本発明において前記表示部１２０は、電子書籍機能実行時に、ユーザ要請によって加工データの入力のためのオーバレイウィンドウを提供することができる。すなわち、前記表示部１２０は、電子書籍機能実行時に、原本コンテンツを表示することができ、また、前記原本コンテンツ上に提供されるオーバレイウィンドウを通じて加工データを表示することができる。また、前記表示部１２０は、前記原本コンテンツと加工データが結合された形態の加工コンテンツを表示するか、またはユーザ選択によって加工データだけを独立的に表示することができる。前記表示部１２０は、前述したような実行画面（特に、電子書籍機能による実行画面）を表示する時に、前記携帯端末の回転方向（または配置された方向）によって横モードを提供するか、または縦モードを提供することができる。
【００１７】
本発明の実施例において、前記表示部１２０は、タッチ基盤の入力を支援するインターフェースを具備することができる。例えば、前記表示部１２０は、タッチスクリーン構成によってタッチ基盤のユーザ入力を支援し、前記ユーザ入力による入力信号を生成し、制御部１６０に伝達することができる。また、本発明の実施例において前記表示部１２０が１つ具備されるものと示したが、本発明がこれに限定されるものではない。したがって、本発明の実施例において前記携帯端末は、２個以上の表示部の構成を含むこともできる。
【００１８】
前記格納部１３０は、前記携帯端末で実行され処理される各種プログラムとデータを格納し、１つ以上の不揮発性メモリと揮発性メモリで構成されることができる。本発明において前記不揮発性メモリは、ＲＯＭ（Ｒｅａｄ  Ｏｎｌｙ  Ｍｅｍｏｒｙ）、フラッシュメモリ（ｆｌａｓｈ  ｍｅｍｏｒｙ）などに対応することができ、前記揮発性メモリは、ＲＡＭ（Ｒａｎｄｏｍ  Ａｃｃｅｓｓ  Ｍｅｍｏｒｙ）などに対応することができる。また、格納部１３０は、前記携帯端末の運営体制、前記表示部１２０の表示制御動作と関連したプログラムとデータ、前記表示部１２０を利用した入力制御動作と関連したプログラムとデータ、携帯端末の電子書籍機能制御動作と関連したプログラムとデータなどを持続的にまたは一時的に格納することができる。
特に、本発明の実施例において前記格納部１３０は、原本コンテンツ格納部１４０と加工データ格納部１５０を備えて構成される。
【００１９】
前記コンテンツ格納部１４０は、前述したような原本コンテンツ、すなわち原本電子書籍コンテンツを格納することができ、前記加工データ格納部１５０は、前述したような加工データ、すなわち個人電子書籍コンテンツ及び統合電子書籍コンテンツを格納することができる。これとは別途に、前記格納部１３０は、原本コンテンツと加工データが結合された加工コンテンツを格納することもできる。この際、加工コンテンツは、別途の領域に格納されるか、または前記コンテンツ格納部１４０に格納されることができる。前記加工データ格納部１５０に格納される加工データは、前記携帯端末内で生成されたデータであるか、または外部から伝達されたデータであることができる。
また、本発明において前記加工データは、多様な情報と結合されて格納されることができる。例えば、実際ユーザ入力に対応する前記加工データと連携される原本コンテンツの識別のためのメタ情報と、前記加工データが前記原本コンテンツでマッピングされる位置（または座標）、加工形式、フォントサイズなどを指示する加工情報などの結合で格納されることができる。
【００２０】
前記制御部１６０は、前記携帯端末の全般的な動作を制御する。特に、前記制御部１６０は、本発明の電子書籍機能運用と関連した動作を制御することができる。例えば、前記制御部１６０は、電子書籍機能実行時、ユーザ選択に対応する原本コンテンツを抽出し、その表示を制御することができる。また、制御部１６０は、前記原本コンテンツ上にオーバレイウィンドウを提供し、前記オーバレイウィンドウ基盤でユーザ入力に対応する加工データの表示を制御することができる。また、制御部１６０は、加工データの格納時に、前記原本コンテンツは維持したまま、前記オーバレイウィンドウ基盤の前記加工データだけを独立客体として別途のデータとして格納することができる。この際、制御部１６０は、前記原本コンテンツと前記加工データの関係をマッピングして格納することができる。また、本発明において前記制御部１６０は、加工データの共有のための他の携帯端末への有無線通信による送信及び受信と関連した動作を制御することができる。このような制御部１６０の制御動作について後述する携帯端末の動作例示及びその制御方法で説明される。
【００２１】
その他、前記制御部１６０は、前記携帯端末の通常的な機能と関連した各種動作を制御することができる。例えば、前記制御部１６０は、アプリケーション実行時に、その運用及びデータ表示を制御することができる。また、制御部１６０は、タッチ基盤の入力インターフェースで支援する多様な入力方式に対応する入力信号を受信し、それによる機能運用を制御することができる。例えば、制御部１６０は、電子書籍機能実行時に、タッチ基盤で入力されるユーザ入力に対応する加工データのリアルタイム表示を制御することができる。また、制御部１５０は、有線通信基盤またはコードレス通信基盤で各種データの送受信を制御することができる。
【００２２】
一方、図１に示した本発明の携帯端末は、バータイップ、フォルダタイプ、スライドタイプ、スイングタイプ、フリップタイプなどすべてのタイプのデバイスに適用されることができる。また、本発明の携帯端末は、すべての情報通信機器、マルチメディア機器及びそれに対する応用機器を含むことができる。例えば、前記携帯端末は、多様な通信システムに対応する各通信プロトコル（ｃｏｍｍｕｎｉｃａｔｉｏｎ  ｐｒｏｔｏｃｏｌｓ）に基づいて動作する移動通信端末（ｍｏｂｉｌｅ    ｃｏｍｍｕｎｉｃａｔｉｏｎ  ｔｅｒｍｉｎａｌ）をはじめとして、タブレットパソコン（Ｐｅｒｓｏｎａｌ  Ｃｏｍｐｕｔｅｒ）、スマートフォン（Ｓｍａｒｔ  Ｐｈｏｎｅ）、ＰＭＰ（Ｐｏｒｔａｂｌｅ  Ｍｕｌｔｉｍｅｄｉａ  Ｐｌａｙｅｒ）、デジタル放送プレーヤー、ＰＤＡ（Ｐｅｒｓｏｎａｌ  Ｄｉｇｉｔａｌ  Ａｓｓｉｓｔａｎｔ）、携帯ゲーム端末、ネットブック（Ｎｅｔｂｏｏｋ）、ノートパソコン（Ｎｏｔｅｂｏｏｋ）などのデバイスを含む。
【００２３】
図２、図３及び図４は、本発明の実施例による携帯端末において電子書籍サービスを支援する動作説明のために示す図である。
図２を参照すれば、参照番号２０１は、携帯端末の電子書籍機能実行によって原本コンテンツ２１０が表示された状態の例示を示す。
参照番号２０３は、前記原本コンテンツ２１０上にユーザ入力に対応する加工データ２３０が表示された状態の例示を示す。または、参照番号２０３は、前記原本コンテンツ２１０上に以前に生成されて格納されるか、または以前に外部から受信された加工データ２３０がローディングされて表示された状態の例示を示す。または、参照番号２０３は、前記原本コンテンツ２１０上に以前に生成されて格納されるか、または以前に外部から受信された加工データがローディングされた状態でユーザ入力に対応する新しい加工データ２３０が追加表示された状態の例示を示す。すなわち、前記参照番号２０３は、現在入力されるかまたはローディングされた所定の加工データ２３０が原本コンテンツ上にオーバレイされた形態の例示を示す。
【００２４】
前記参照番号２０３に示されたように、前記加工データ２３０は、テキスト、イメージ、アイコン、カラー別ハイライト、線、各種図形などユーザ入力または選択によって多様な形態で示されることができ、追加的に動画ファイル、音楽ファイルなどが添付形態で提供されることができる。このような加工データ２３０は、原本コンテンツ２１０とは別に独立的に制御されることができる。このための例示が図３に示されている。
図３を参照すれば、図３は、図２で説明したような原本コンテンツ２１０と加工データ２３０が構成される関係を示すものである。図３に示されたように、本発明において原本コンテンツ２１０と加工データ２３０は、互いに区分されて独立的な構造を有する。したがって、図２に示されたように、ユーザが原本コンテンツ２１０上に所定の加工データ２３０を生成しても、実際原本コンテンツ２１０の変形は起きず、別途のオーバレイウィンドウ３００を通じてユーザ入力に対応する加工データ２３０が入力されて生成される。したがって、本発明によれば、ユーザ要求によって原本コンテンツ２１０だけを示すか、または加工データ２３０だけを示すか、または原本コンテンツ２１０上に加工データ２３０がオーバレイされた加工コンテンツ形態で示すことができる。このような例示が図４に示されている。
【００２５】
図４を参照すれば、参照番号４０１は、前述したように、原本コンテンツ２１０上に加工データ２３０がオーバレイされた加工コンテンツ形態の例示を示し、参照番号４０３は、前記加工コンテンツでユーザ選択によって前記加工コンテンツを構成する原本コンテンツ２１０だけが表示される場合の例示を示し、参照番号４０５は、前記加工コンテンツでユーザ選択によって前記加工コンテンツを構成する加工データ２３０だけが表示される場合の例示を示す。
また、本発明の実施例において前述したような加工データ２３０は、前記原本コンテンツ２１０とは別に１つの独立客体として格納されることができる。また、格納された加工データ２３０は、有線通信または無線通信方式によって他の携帯端末に伝送可能であり、これにより、ユーザ間の加工データの共有を支援することができる。
【００２６】
図５は、本発明の実施例による携帯端末において加工データを原本コンテンツに適用する動作説明のために示す図である。
図５を参照すれば、参照番号５０１は、携帯端末で提供する原本コンテンツの例示を示し、参照番号５０３は、他の携帯端末から受信して格納された加工データの例示を示す。また、参照番号５０５は、前記原本コンテンツ上に前記加工データがオーバレイされた加工コンテンツ形態の例示を示す。
図５に示されたように、前記携帯端末で支援される画面サイズと前記他の携帯端末で支援する画面サイズが異なることができる。また、図５で、前記加工データを生成する他の携帯端末の原本コンテンツと前記携帯端末の原本コンテンツは、同一のデータであり、ただ当該携帯端末が支援する画面規格によって表示される形態だけが異なるものを仮定する。
例えば、参照番号５０１の場合、４：３の画面サイズを支援する携帯端末で提供される原本コンテンツであり、参照番号５０３の場合、３：２の画面サイズを支援する他の携帯端末で提供された原本コンテンツに対応して生成された加工データが前記携帯端末に格納された場合を仮定する。
【００２７】
上記のような状態で、前記携帯端末で電子書籍機能実行によって参照番号５０１に示されたように、原本コンテンツが表示された状態を仮定する。また、前記原本コンテンツに対応して格納された前記加工データをユーザ要求によってローディングすることができる。
このような場合、前記携帯端末は、前記原本コンテンツのメタ情報と以前に格納された加工データのメタ情報を比較することによって、前記原本コンテンツに対応する加工データを決定することができる。また、前記携帯端末は、前記決定された加工データローディング時に、前記加工データの加工情報をチェックすることができる。例えば、前記原本コンテンツで各加工データが表示される位置（または座標）、加工形式などをチェックすることができる。また、前記携帯端末は、前記加工情報を基盤にして前記原本コンテンツで加工データとマッチングされる部分を検出した後、それに合わせて前記加工データを前記原本コンテンツ上にオーバレイして示すことができる。
【００２８】
例えば、図５に示されたように、原本コンテンツの内容のうち”ＡＢＣＤ”にブロック２３１の加工データが指定され、”ＥＦＧＨ”に下線２３３の加工データが指定された場合を仮定する。また、前記原本コンテンツは、参照番号５０１に示されたように、４：３画面サイズによって”ＡＢＣＤＥＦ”字が１行に表示され、”ＧＨ”字が次の行に引き続いて表示され、前記加工データは、参照番号５０３に示されたように、３：２画面サイズによって”ＡＢ”字が１行に表示され、”ＣＤＥＦＧＨ”字が次の行に引き続いて表示される形態であることを仮定する。一方、前記参照番号５０３では、説明の便宜のために”ＡＢＣＤＥＦＧ”字を表示したが、実際加工データでは、”ＡＢＣＤＥＦＧ”は省略され、ただ、前記加工データが生成された当該携帯端末の原本コンテンツで”ＡＢＣＤＥＦＧ”が参照番号５０３のように配置されて表示されることができる。
【００２９】
本発明では、上記のように、原本コンテンツ上にその規格が異なる加工データの適用時、前述したような加工情報を基盤にして各加工データの形式（例えば、前記例示のようにブロック、下線などの形態、カラーなど）を識別し、各加工データが原本コンテンツで表示される開始位置及び終了位置を識別することができる。例えば、ブロック２３１と下線２３３の加工データを識別し、ブロック２３１と下線２３３の加工データそれぞれの位置を把握することができる。また、原本コンテンツで把握された位置を追跡し、当該位置に対応する加工データをオーバレイして示すことができる。
したがって、ブロック２３１の加工データに対して開始位置が”Ａ”字の位置（座標）であり、終了位置が”Ｄ”字の位置（座標）であることによって、原本コンテンツで”Ａ”字の位置（座標）及び”Ｂ”字の位置（座標）を追跡し、追跡した位置にブロック２３１の加工データをオーバレイして参照番号５０５に示されたように示すことができる。
【００３０】
また、下線２３３の加工データに対して開始位置が”Ｅ”字の位置（座標）であり、終了位置が”Ｈ”字の位置（座標）であることによって、原本コンテンツで”Ｅ”字の位置（座標）及び”Ｈ”字の位置（座標）を追跡し、追跡した位置に下線２３３の加工データをオーバレイし、参照番号５０５に示されたように示すことができる。
一方、その図示及び説明は省略したが、図５に応用して携帯端末が横モード及び縦モードの間の切換に対応して加工データをリアルタイム適用することができる。また、図５と反対の場合、すなわち原本コンテンツが小さく、加工データが大きい場合でも、上記方式に対応して運用することができることは勿論である。
【００３１】
図６は、本発明の実施例による携帯端末において加工データを生成する方法を示す流れ図である。
図６を参照すれば、制御部１６０は、ユーザ要求に対応して電子書籍機能を実行し（６０１段階）、ユーザ選択に対応する所定の原本コンテンツを表示することができる（６０３段階）。
次に、制御部１６０は、原本コンテンツ表示後、エディタモード要請があるか否かを判断することができる（６０５段階）。本発明においてエディタモードは、前述したように、原本コンテンツ上にオーバレイウィンドウを構成し、加工データを入力するためのモードを示すことができる。また、ユーザは、携帯端末に設けられた所定のボタン、またはタッチ基盤の入力インターフェース（例えば、タッチスクリーンの表示部）などを利用してエディタモード実行を入力することができる。
【００３２】
次に、制御部１６０は、エディタモード要請がなければ（６０５段階のＮＯ）、当該動作実行を制御することができる（６０７段階）。例えば、ユーザ入力に対応して原本コンテンツに対するスクロールを制御するか、または新しい原本コンテンツをローディングして表示するなどの動作実行を制御することができる。
次に、制御部１６０は、エディタモード要請があれば（６０５段階のＹＥＳ）、前記原本コンテンツ上にオーバレイウィンドウを構成することができる（６０９段階）。例えば、図３で説明したように、原本コンテンツ上に別途のオーバレイウィンドウ３００を示すことができる。この際、前記オーバレイウィンドウ３００の構成は、内部的に構成されて提供されることができ、したがって、ユーザ立場では、原本コンテンツがそのまま維持されるものと認知することができる。または、エディタモード進入に対するユーザの容易な識別のためにオーバレイウィンドウ３００の構成時に色相を異なって表現するなどの方式で示すこともできる。
【００３３】
次に、制御部１６０は、ユーザ入力に対応する加工データを表示することができる（６１１段階）。例えば、制御部１６０は、前述したように、ユーザ入力が発生する原本コンテンツ上の当該位置にユーザ入力に対応する所定の加工データを生成して示すか、またはユーザ選択に対応する所定の加工データをローディングして示すことができる。
次に、制御部１６０は、前記加工データの入力を完了する完了要請を感知する時（６１３段階）、上記手続で原本コンテンツ上に入力された加工データを抽出することができる（６１５段階）。例えば、制御部１６０は、前述したように、テキスト、イメージ、アイコン、カラー別ハイライト、線、各種図形などユーザ入力に対応するように生成された少なくとも１つの加工データを抽出することができる。
【００３４】
次に、制御部１６０は、抽出した各加工データに対する加工情報を生成することができる（６１７段階）。例えば、制御部１６０は、各加工データが有する形式、各加工データが原本コンテンツとマッチングされる位置（または座標）、フォント形態（サイズ、種類など）などを解析（parsed）し、解析（parsed）した情報を基盤にして前記加工情報を生成することができる。
【００３５】
次に、制御部１６０は、生成された加工情報を基盤にして前記原本コンテンツに対する加工データを格納することができる（６１９段階）。例えば、制御部１６０は、前記加工データ格納時前記生成された加工情報と当該加工データに対応する前記原本コンテンツのメタ情報を含んで格納することができる。この際、前記加工情報は、前記原本コンテンツとは別に独立客体として格納されることができる。
【００３６】
図７は、本発明の実施例による携帯端末において原本コンテンツに対応して加工データを提供する方法を示す流れ図である。
図７を参照すれば、制御部１６０は、ユーザ要求に対応して電子書籍機能を実行し（７０１段階）、ユーザ選択に対応する所定の原本コンテンツを表示することができる（７０３段階）。
次に、制御部１６０は、原本コンテンツ表示後、加工データローディング要請を感知することができる（７０５段階）。例えば、ユーザは、携帯端末に設けられた所定のボタン、またはタッチ基盤の入力インターフェース（例えば、タッチスクリーンの表示部）などを利用して所定の加工データを要請する操作を入力することができる。
【００３７】
次に、制御部１６０は、前記原本コンテンツのメタ情報と以前に格納された加工データのメタ情報とを比較することができる（７０７段階）。例えば、制御部１６０は、加工データのローディングが要請される時、以前に格納された加工データを検索し、検索された加工データのメタ情報と前記原本コンテンツのメタ情報とを比較することができる。また、制御部１６０は、前記原本コンテンツのメタ情報と一致するメタ情報を有する加工データがあるか否かをチェックすることができる（７０９段階）。すなわち、制御部１６０は、以前に格納された加工データのうち前記原本コンテンツのメタ情報と一致するメタ情報を有する特定加工データを検索することができる。
【００３８】
次に、制御部１６０は、メタ情報が一致する加工データがなければ（７０９段階のＮＯ）、関連情報出力を制御し（７１１段階）、その後、当該動作実行を制御することができる（７１３段階）。例えば、制御部１６０は、一致する加工データが存在しないことを通知するポップアップ出力を制御し、ポップアップに対するユーザ選択による動作実行を制御することができる。または、制御部１６０は、ポップアップ出力を制御し、新しい加工データの生成可否を確認することができる。
次に、制御部１６０は、メタ情報が一致する加工データがあれば（７０９段階のＹＥＳ）、当該加工データの加工情報をチェックすることができる（７１５段階）。例えば、制御部１６０は、前記原本コンテンツで各加工データが表示される位置（または座標）、加工形式などをチェックすることができる。
【００３９】
次に、制御部１６０は、前記原本コンテンツで前記加工情報に対応する位置を追跡し（７１７段階）、それに合わせて前記加工情報に対応する各加工データをオーバレイウィンドウ基盤に出力することができる（７１９段階）。
次に、制御部１６０は、原本コンテンツ上に加工データ出力後、ユーザ要請による当該動作実行を制御することができる（７２１段階）。例えば、制御部１６０は、前記加工データを維持する状態でユーザ入力に対応する新しい追加の加工データを入力されて、それを格納することができる。または、制御部１６０は、ユーザ選択によって前記ローディングされた加工データまたは前記加工データに追加の加工データが結合された新しい加工データの共有のための外部伝送を制御することができる。本発明の実施例において、前記加工データの共有は、前述したように、生成された加工データ自体を共有するか、または後述する図８及び図９のように加工データ内の一部客体だけを共有することができる。
【００４０】
図８及び図９は、本発明の実施例による携帯端末においてユーザ定義による加工データを他の携帯端末と共有する動作説明のために示す図である。特に、図８は、特定原本コンテンツを基盤にして生成された加工データのうち一部の加工データ（以下、客体）をユーザ選択によって指定し、これを他のの携帯端末と共有する動作を示す図であり、図９は、特定原本コンテンツを基盤にして生成された加工データのうちあらかじめ定義されたカテゴリーによって一部の加工データ（以下、客体）を抽出し、これを他の携帯端末と共有する動作を示す図である。
【００４１】
図８を参照すれば、参照番号８０１に示されたように、ユーザ定義によって多数の客体よりなる加工データが現れた場合を仮定する。この際、前記加工データは、前述したように、原本コンテンツ上にオーバレイされて現われるか、または図８のように、加工データだけ現われることができる。
次に、参照番号８０１のような状態で、ユーザは、前記加工データの多数の客体のうち少なくとも１つの客体だけよりなる加工データ（以下、選択加工データ）を他の携帯端末に伝送することができる。例えば、参照番号８０３に示されたように、ユーザは、前記加工データを構成する多数の客体のうち希望する少なくとも１つの客体（例えば、参照番号８１０、参照番号８２０及び参照番号８３０の客体）を選択指定することができる。本発明の実施例において、客体の選択は、タッチ基盤の入力を通じて単一選択及び多重選択によって行われることができる。
【００４２】
次に、ユーザは、前記参照番号８０３のように、選択された所定個数の客体８１０、８２０、８３０に対して格納または伝送のためのインタラクションを入力することができる。前記インタラクションは、加工データ伝送のために提供されるメニューを操作するインタラクションであるか、または加工データ伝送のためにあらかじめ定義された方式のタッチ基盤の入力インタラクションであることができる。
次に、制御部１６０は、参照番号８０３のように、所定の客体８１０、８２０、８３０が選択された状態で、加工データの伝送のためのインタラクション入力を感知する時、参照番号８０５に示されたように、ユーザ選択に対応する客体８１０、８２０、８３０だけを示し、ユーザ選択が正しいか否かを確認することができる。この際、ユーザ選択に対応する客体８１０、８２０、８３０の表示時に、前記加工データを構成する他の客体は除去し、前記選択された客体８１０、８２０、８３０だけを示すか、または前記他の客体はかすかに処理し、前記選択された客体８１０、８２０、８３０だけをハイライトなどのように差別化して示すことができる。
【００４３】
したがって、ユーザは、参照番号８０３の過程によってユーザ選択を修正することができ、本発明の実施例において前記のような確認手続は省略され、伝送動作にすぐ進行することもできる。また、制御部１６０は、ユーザ選択が完了する時、選択された客体８１０、８２０、８３０のみを別途の加工データとして格納することができる。この際、格納時に、ユーザは、当該加工データのファイル名などを入力した後、格納するか、または制御部１６０で自体的にファイル名を生成して格納することができる。
次に、制御部１６０は、上記のように、特定客体８１０、８２０、８３０にグループ化された加工データをユーザ選択による他の携帯端末に有線または無線による伝送を制御することができる。このような本発明によれば、ユーザは、生成された加工データから一部の客体だけをさらに別途の加工データグループで管理及び共有することができる。
【００４４】
図９を参照すれば、参照番号９０１に示されたように、ユーザ定義によって多数の客体よりなる加工データが現われた場合を仮定する。この際、前記加工データは、前述したように、原本コンテンツ上にオーバレイされて示されるか、または図９のように、加工データだけが示されることができる。
【００４５】
次に、参照番号９０１のような状態で、ユーザは、前記加工データの多数の客体のうち希望するカテゴリーの客体だけよりなる選択加工データを他の携帯端末に伝送することができる。本発明において、前記カテゴリーは、加工データを構成する各客体のグループを示すことができる。例えば、前記カテゴリーは、参照番号９０１に示されたような線、テキスト、アイコン、図形などの客体をグループに区分したものに該当することができる。したがって、ユーザは、加工データを構成する多数の客体のうち希望するカテゴリーの客体を選択し、他の携帯端末ユーザと共有することができる。
【００４６】
例えば、ユーザは、カテゴリー指定のためのメニュー（以下、カテゴリーメニュー）を呼び出すインタラクションを入力することができる。前記インタラクションは、カテゴリーメニューを呼び出す上位メニューを操作するインタラクションであるか、またはカテゴリーメニュー呼び出しのためにあらかじめ定義された方式のタッチ基盤の入力インタラクションであることができる。
次に、制御部１６０は、参照番号９０１のような状態でカテゴリーメニューを呼び出すインタラクション入力を感知する時、参照番号９０３に示されたように、カテゴリー選択のためのカテゴリーメニューをポップアップウィンドウ９００を通じて示すことができる。それでは、ユーザは、参照番号９０５に示されたように、希望するカテゴリーが示された項目（例えば、”テキスト”項目）を選択することができる。
【００４７】
次に、制御部１６０は、参照番号９０５に示されたように、所定のカテゴリーを選択するインタラクションを感知する時、選択されたカテゴリーに対応する少なくとも１つの客体を前記加工データから抽出することができる。また、制御部１６０は、参照番号９０７に示されたように、前記抽出した少なくとも１つの客体（例えば、参照番号９１０、参照番号９２０、参照番号９３０、参照番号９４０、参照番号９５０、参照番号９６０、参照番号９７０）の客体）だけを示し、ユーザが希望する客体が正しいか否かを確認することができる。例えば、制御部１６０は、参照番号９０５に示されたように、”テキスト”カテゴリーの選択によって加工データの客体のうちテキストで構成された客体だけを抽出し、抽出したテキストの客体９１０、９２０、９３０、９４０、９５０、９６０、９７０を示すことができる。したがって、ユーザは、参照番号９０７の過程によってユーザ選択を修正するか、または新しいカテゴリーを選択することができる。この際、選択カテゴリーに対応する客体９１０、９２０、９３０、９４０、９５０、９６０、９７０の表示時に、前記加工データを構成する他の客体は除去し、前記カテゴリーの客体９１０、９２０、９３０、９４０、９５０、９６０、９７０だけを示すか、または、前記他の客体はかすかに処理し、前記カテゴリーの客体６１０、６２０だけをハイライトなどのように差別化して示すことができる。
【００４８】
次に、制御部１６０は、上記のように、特定カテゴリー（例えば、テキストカテゴリー）の客体９１０、９２０、９３０、９４０、９５０、９６０、９７０にグループ化された加工データを格納するか、またはユーザ選択による他の携帯端末に有線または無線による伝送を制御することができる。このような本発明によれば、ユーザは、生成された加工データから一部客体だけをさらに別途の加工データグループで管理及び共有することができる。
【００４９】
一方、前述したような本発明の電子書籍サービス提供方法は、多様なコンピュータ手段を通じて実行されることができるプログラム命令形態で具現され、コンピュータで読み取り可能な記録媒体に記録されることができる。この際、前記コンピュータで読み取り可能な記録媒体は、プログラム命令、データファイル、データ構造などを単独で、または組み合わせて含むことができる。一方、記録媒体に記録されるプログラム命令は、本発明のために特別に設計され構成されたものであるか、コンピュータソフトウェア当業者に公知されて使用可能なものであることができる。
【００５０】
前記コンピュータで読み取り可能な記録媒体には、ハードディスク、フロッピー（登録商標）及び磁気テープのような磁気媒体（Ｍａｇｎｅｔｉｃ  Ｍｅｄｉａ）、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｃ）のような光記録媒体（Ｏｐｔｉｃａｌ  Ｍｅｄｉａ）、フロプティカルディスク（Ｆｌｏｐｔｉｃａｌ  Ｄｉｓｋ）のような磁気−光媒体（Ｍａｇｎｅｔｏ−Ｏｐｔｉｃａｌ  Ｍｅｄｉａ）、及びＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュメモリなどのようなプログラム命令を格納し実行するように特別に構成されたハードウェア装置が含まれる。また、プログラム命令には、コンパイラーによって作われるもののような機械語コードだけでなく、インタプリターなどを使用してコンピュータによって実行されることができる高級言語コードを含む。前述したハードウェア装置は、本発明の動作を行うために１つ以上のソフトウェアモジュールとして作動するように構成されることができ、その逆も同様である。
【００５１】
また、本発明の属する技術分野における当業者は、前述した本発明が当該技術的思想や必須特徴を変更することなく、他の具体的な形態で実施されることができることを理解することができる。したがって、以上で記述した実施例は、すべての面で例示的なものであって、限定的ではないものと理解しなければならない。また、本発明の範囲は、前記詳細な説明よりは後述する特許請求範囲によって示され、特許請求範囲の意味及び範囲、そしてその等価概念から導出されるすべての変更または変形された形態が本発明の範囲に含まれるものと解釈すべきである。
【００５２】
なお、本明細書と図面に開示された本発明の実施例は、本発明の技術内容を容易に説明し、本発明の理解を助けるために特定例を提示したものに過ぎず、本発明の範囲を限定しようとするものではない。ここに開示された実施例以外にも、本発明の技術的思想に基づく他の変形例が実施可能であることは、本発明の属する技術分野における通常の知識を有する者に自明である。
【符号の説明】
【００５３】
１１０  通信モジュール
１２０  表示部
１３０  格納部
１４０  コンテンツ格納部
１５０  加工データ格納部
１６０  制御部
２１０  原本コンテンツ
２３０、２３１、２３３  加工データ
【図１】
0005872264.tif 000002
【図２】
0005872264.tif 000003
【図３】
0005872264.tif 000004
【図４】
0005872264.tif 000005
【図５】
0005872264.tif 000006
【図６】
0005872264.tif 000007
【図７】
0005872264.tif 000008
【図８】
0005872264.tif 000009
【図９】
0005872264.tif 000010